(57)【要約】【課題】揚水部材を用いなくても水を供給することが可能であり、施工作業を容易に行うことができる給水用容器を提供する。【解決手段】前壁２には、該前壁２の内外面を貫通し、ブロック本体１内に貯留された水を外へ供給するための複数の給水用孔１３，１３，…が、前壁２の幅方向へ適宜の距離を隔てて開設してあり、各給水用孔１３，１３，…によって給水路１０，１０，…が構成されている。給水路１０の前壁２外面に開口した吐水口１１は、前壁２の上端近傍に位置しており、給水路１０の前壁２内面に開口した取水口１２は、底壁６の内面（底面）と略同じ高さに位置している。【選択図】図３
2005090071.tif 000002
【特許請求の範囲】
【請求項１】
水を貯える箱型の容器本体の周囲壁の適宜位置に、この周囲壁を貫通し、容器本体内の水を外へ供給するための給水路が設けてある給水用容器であって、
前記給水路の吐水口の高さ位置は、給水路の取水口の高さ位置より高くしてあることを特徴とする給水用容器。
【請求項２】
前記給水路は、前記周囲壁を貫通する貫通孔で構成してある請求項１記載の給水用容器。
【請求項３】
前記周囲壁の内面の前記適宜位置に対応する部分に凸部が設けてあり、前記給水路は、前記周囲壁を貫通する第１貫通孔、及び前記凸部を貫通し、前記第１貫通孔に連通する第２貫通孔で構成してある請求項１記載の給水用容器。
【請求項４】
前記給水路は、前記周囲壁を貫通する貫通孔、及びこの貫通孔に連通し、前記周囲壁の内面から前記容器本体の底面へ向かって延設した管状部で構成してある請求項１記載の給水用容器。
【請求項５】
前記取水口の下端縁部は、前記容器本体の底面と略同じ高さにしてある請求項１から４のいずれかに記載の給水用容器。
【請求項６】
前記取水口から容器本体内への土の流入を防止する土流入防止部を備える請求項１から５のいずれかに記載の給水用容器。
【請求項７】
前記容器本体の取水口の周囲に、板状の土流入防止部を固定するための固定部が設けてある請求項６記載の給水用容器。
【発明の詳細な説明】
【技術分野】
【０００１】
本発明は、例えば、複数のブロックを法面に倣って重積し、各ブロックの内部に客土を充填してなる擁壁に適用され、前記ブロック内の客土で生育する植物に水を供給する給水用容器に関する。
【背景技術】
【０００２】
施工対象の法面に倣って、矩形筒状の擁壁用ブロック複数を、各擁壁用ブロック内に中込材を充填しつつ階段状に重積してなる擁壁が実用化されている。このような擁壁にあっては、中込材の一部に客土を使用することによって、各擁壁用ブロックの客土充填部分に植物を生育させることができるが、かかる植物を順調に生育させるには、植物に水を安定して供給することが重要である。そのため本発明者は、後記する特許文献１において、次のような給水用ブロック（給水用容器）を開示している。
【０００３】
図１０は、本発明者が開示した従来の給水用ブロックの使用態様を示す側断面図であり、図中、７１は、擁壁用ブロック、８１は、擁壁用ブロック７１の内部に設置された給水用ブロックである。矩形筒状の擁壁用ブロック７１の後壁７４は前壁７２より低くしてあり、擁壁用ブロック７１の両側壁７３（７３）は、前壁７２から後壁７４へ、前壁７２の高さ寸法と同じ高さ寸法で所定距離だけ延設した後、後壁７４の高さ寸法と同じ高さ寸法にした段差部を経て後壁７４に連結させてある。また、前壁７２の底部には、短寸の底壁７６が連結してある。
【０００４】
一方、給水用ブロック８１は、全面が有底であること以外は擁壁用ブロック７１と略相似した形状をしており、給水用ブロック８１の前壁８２の高さ寸法は、擁壁用ブロック７１の側壁７３の段差部から擁壁用ブロック７１の前壁７２の上端までの寸法と略同じである。また、給水用ブロック８１の底壁８６の前壁８２近傍の位置には、前述した擁壁用ブロック７１内に充填される客土を受ける帯板状の客土受壁８７が底壁８６の全幅に渡って垂下してある。
【０００５】
給水用ブロック８１の前壁８２の底壁８６から少し高い位置には、前壁８２を貫通する貫通孔８８が、底壁８６と平行に開設してある。この貫通孔８８内には、給水用ブロック８１内の水を毛細上昇により汲み上げる紐状の揚水部材９０が挿通させてあり、揚水部材９０の一端側は、給水用ブロック８１内の底壁８６まで、揚水部材９０の他端側は、給水用ブロック８１の外側へ適宜距離だけ、それぞれ延伸させてある。
【０００６】
そして、法面に倣って配置した擁壁用ブロック７１内に、適宜の大きさの栗石及び砕石等の中込材Ｆを、擁壁用ブロック７１の前壁７２側は薄く、後壁７４側は厚く敷き詰めた後、給水用ブロック８１を、擁壁用ブロック７１の後壁７４側の中込材Ｆ上に載置するように配置し、擁壁用ブロック７１内の給水用ブロック８１より後壁７４側に中込材Ｆを、擁壁用ブロック７１の前壁７２の高さ位置まで投入すると共に、給水用ブロック８１内に、擁壁用ブロック７１内に投入した中込材Ｆより大きいサイズの中込材Ｆを、擁壁用ブロック７１の前壁７２の高さ位置まで投入する。これによって、間隙率を高くして給水用ブロック８１内に貯えられる水の容量を大きくすると共に、中込材Ｆで揚水部材９０の一端側を給水用ブロック８１の底壁８６に固定する。
【０００７】
このように施工した下段の擁壁用ブロック７１上に上段の擁壁用ブロック７１を、上段の擁壁用ブロック７１の底壁７６が下段の給水用ブロック８１の前壁８２によって支持されるように載置した後、前同様の作業を行って、上段の擁壁用ブロック７１及び上段の給水用ブロック８１を施工する。そして、このような作業を繰り返した後、各擁壁用ブロック７１，７１，…内の給水用ブロック８１，８１，…より前壁７２，７２，…側に、それぞれ客土Ｇ，Ｇ，…を投入することによって、複数段の擁壁用ブロック７１，７１，…内にそれぞれ給水用ブロック８１，８１，…を埋設した擁壁を施工する。
【０００８】
このような擁壁では、各擁壁用ブロック７１，７１，…内の客土Ｇ，Ｇ，…に植物Ｐ，Ｐ，…をそれぞれ移植することができる。一方、上段の擁壁用ブロック７１，７１，…内の客土Ｇ，Ｇ，…上への降雨は、当該客土Ｇ，Ｇ，…内へ浸透して下段の擁壁用ブロック７１，７１，…内に埋設した給水用ブロック８１，８１，…の内部に貯留される。そして、給水用ブロック８１，８１，…内に貯留された雨水は、揚水部材９０の毛細上昇により汲み上げられて、擁壁用ブロック７１，７１，…の客土Ｇ，Ｇ，…へ浸透し、該客土Ｇ，Ｇ，…を介して植物Ｐ，Ｐ，…に供給される。
【０００９】
【特許文献１】特開２０００−１０４２６８号公報
【発明の開示】
【発明が解決しようとする課題】
【００１０】
しかしながら、このような従来の給水用容器にあっては、次のような問題があった。すなわち、給水用ブロック８１内に貯留された雨水は、揚水部材９０内を毛管上昇により客土Ｇへ汲み上げられるが、かかる揚水用部材９０が毛細上昇によって揚水し得る高さ寸法は、せいぜい１５ｃｍ程度であるため、給水用容器の外部へ供給可能な貯水量水が少ないという問題があった。一方、揚水部材９０には、その内部に客土Ｇ及び植物Ｐの根等が侵入して目詰まりが発生し易く、これによって揚水能力が低下するという問題があった。また、揚水部材９０の両端部分を前述した如き適当な延伸状態に施工する必要があり、当該施工に手間を要するという問題もあった。
【００１１】
本発明は、斯かる事情に鑑みてなされたものであって、前述した如き揚水部材を用いなくても水を供給することが可能であり、施工作業を容易に行うことができる給水用容器を提供する。
【課題を解決するための手段】
【００１２】
請求項１記載の本発明は、水を貯える箱型の容器本体の周囲壁の適宜位置に、この周囲壁を貫通し、容器本体内の水を外へ供給するための給水路が設けてある給水用容器であって、前記給水路の吐水口の高さ位置は、給水路の取水口の高さ位置より高くしてあることを特徴とする。
【００１３】
請求項２記載の本発明は、前記給水路は、前記周囲壁を貫通する貫通孔で構成してあることを特徴とする。
【００１４】
請求項３記載の本発明は、前記周囲壁の内面の前記適宜位置に対応する部分に凸部が設けてあり、前記給水路は、前記周囲壁を貫通する第１貫通孔、及び前記凸部を貫通し、前記第１貫通孔に連通する第２貫通孔で構成してあることを特徴とする。
【００１５】
請求項４記載の本発明は、前記給水路は、前記周囲壁を貫通する貫通孔、及びこの貫通孔に連通し、前記周囲壁の内面から前記容器本体の底面へ向かって延設した管状部で構成してあることを特徴とする。
【００１６】
請求項５記載の本発明は、前記取水口の下端縁部は、前記容器本体の底面と略同じ高さにしてあることを特徴とする。
【００１７】
請求項６記載の本発明は、前記取水口から容器本体内への土の流入を防止する土流入防止部を備えることを特徴とする。
【００１８】
請求項７記載の本発明は、前記容器本体の取水口の周囲に、板状の土流入防止部を固定するための固定部が設けてあることを特徴とする。
【発明の効果】
【００１９】
請求項１記載の本発明では、水を貯える箱型の容器本体の周囲壁の適宜位置に、この周囲壁を貫通し、容器本体内の水を外へ供給するための給水路が設けてあり、この給水路の吐水口の高さ位置は、給水路の取水口の高さ位置より高くしてあるため、給水用容器内には、吐水口の底部の高さ位置まで水が貯えられる。そして、この給水路内に適当な粒度の土砂等、毛管上昇を生起する媒体を充填しておくことによって、給水用容器内に貯留された水は、吐水口より低位にあり貯留水に浸っている取水口から吐水口へ給水路内を毛細上昇により汲み上げられ、吐水口から給水用容器外へ供給される。この土砂等の媒体は、通常、給水用容器を施工する際に、回りの土砂が自然落下によって給水路内に充填される。従って、従来のように紐状の揚水部材を用いなくても、貯留した水を外部へ供給することができ、給水用容器の施工作業を容易に行うことができる。
【００２０】
一方、土砂等の媒体による毛管上昇作用は、従来の揚水部材の毛管上昇作用より大きいため、吐水口と取水口との高さの差を大きくすることができ、これによって、給水用容器の外部へ供給可能な貯水量を従来より多くすることができる。
【００２１】
請求項２記載の本発明では、給水路は、容器本体の周囲壁を貫通する貫通孔で構成してあるため、給水用容器の構成が比較的単純であり、従って、給水用容器の製造が容易であるので、製造コストの上昇を可及的に抑制することができる。
【００２２】
請求項３記載の本発明では、容器本体の周囲壁の内面に凸部が設けてあり、給水路は、周囲壁を貫通する第１貫通孔、及び凸部を貫通し、第１貫通孔に連通する第２貫通孔で構成してあるため、周囲壁の厚さが薄い場合であっても、給水路は所要の容量を確保することができ、内部に十分な量の媒体を充填することができるので、所要の給水量が担保される。
【００２３】
請求項４記載の本発明では、給水路は、容器本体の周囲壁を貫通する貫通孔、及びこの貫通孔に連通し、周囲壁の内面から容器本体の底面へ向かって延設した管状部で構成してあるため、周囲壁の厚さが薄い場合であっても、給水用孔は所要の容量を確保することができ、内部に十分な量の媒体を充填することができるので、所要の給水量が担保される。
【００２４】
請求項５記載の本発明では、給水路の取水口の下端縁部は、容器本体の底壁内面と略同じ高さにしてあるため、給水用容器内に貯留された略全ての水を外部へ供給することができ、効率的である。
【００２５】
請求項６記載の本発明では、給水路の取水口から容器本体内への土の流入を防止する土流入防止部を備えるため、給水路内に充填され毛管上昇を生起する媒体たる土が給水路から容器本体内へ流出することが防止されると共に、内部に流入した土によって容器本体の貯水量が減少することが防止される。
【００２６】
請求項７記載の本発明では、容器本体の取水口の周囲に、板状の土流入防止部を固定するための固定部が設けてあるため、給水用容器の施工作業中、板状の土流入防止部にズレが生じることが防止され、給水用容器の施工作業を更に容易に行うことができる。
【発明を実施するための最良の形態】
【００２７】
本発明に係る給水用容器は、水を貯える箱型の容器本体の周囲壁の適宜位置に、この周囲壁を貫通し、容器本体内の水を外へ供給するための給水路が設けてあり、この給水路の吐水口の高さ位置は、給水路の取水口の高さ位置より高くしてある。
【００２８】
より具体的には、給水用孔は、その側断面形状が、吐水口の高さ部分に対応する一辺と取水口の高さ部分に対応する他辺とを有側断面形状する四角形状をなし、更には、前記一辺の寸法は前記他辺の寸法より大きくしてあり、前記一辺の下端の位置は他辺の下端の位置より高くしてある。このとき、給水用孔の側断面形状における前記四角形の上下方向に対をなす両辺は、直線状又は彎曲線状であってよい。
【００２９】
このような給水用容器にあっては、給水用孔内に適当な粒度の土砂等、毛管上昇を生起する媒体を充填しておく。このとき、給水用孔の側断面形状が、前述した如き形状になしてある場合、施工作業中に媒体が給水用孔に自然落下によって充填されるため、充填作業を容易に実施することができる。一方、前記一辺の寸法は前記他辺の寸法より大きくしてあるため、給水用容器の鋳造時、給水用孔の型抜きを容易に行うことができる。
【００３０】
かかる給水用容器内には、吐水口の底部の高さ位置まで水が貯えられる。この給水用容器内に貯留された水は、吐水口より低位にあり貯留水に浸っている取水口から吐水口へ、給水路内の媒体中を毛細上昇により汲み上げられ、吐水口から給水用容器外へ供給される。
【００３１】
このような給水路は、容器本体の周囲壁を貫通する貫通孔で構成することができる。この場合、給水用容器の構成を比較的単純にすることができる。
【００３２】
また、給水路は、周囲壁を貫通する第１貫通孔、及び容器本体の周囲壁の内面に設けた凸部を貫通し、第１貫通孔に連通する第２貫通孔で構成することもでき、また、容器本体の周囲壁を貫通する貫通孔、及びこの貫通孔に連通し、周囲壁の内面から容器本体の底面へ向かって延設した管状部で構成することもできる。これによって、周囲壁の厚さが薄い場合であっても、給水路は所要の容量を確保することができ、内部に十分な量の媒体を充填することができるので、所要の給水量が担保される。
【００３３】
この給水路の取水口は、容器本体の底壁内面たる底面と略同じ高さに設ける。これによって、給水用容器内に貯留された略全ての水が外部へ供給される。
【００３４】
また、本発明に係る給水用容器は、給水路の取水口から容器本体内への土の流入を防止する土流入防止部を備える。これによって、給水路内に充填され毛管上昇を生起する媒体たる土が給水路から容器本体内へ流出することが防止されると共に、内部に流入した土によって容器本体の貯水量が減少することが防止される。
【００３５】
更に、容器本体の取水口の周囲に、板状の土流入防止部を固定するための固定部が設けてある。これによって、給水用容器の施工作業中、板状の土流入防止部にズレが生じることが防止される。
【実施例１】
【００３６】
以下、本発明について、図面に基づいて具体的に説明する。
【００３７】
図１から図３は、本発明に係る給水用容器たる給水用ブロックの正面図及び平面図、並びにＩＩＩ−ＩＩＩ線による断面図であり、図中、１は水を貯留する箱型のブロック本体である。容器本体たるコンクリート製のブロック本体１は、長方形状の底壁６の周縁部上に前壁（周囲壁）２、後壁（周囲壁）４及び両側壁（周囲壁）３，３を立設してなり、後壁４の高さ寸法は、前壁２の高さ寸法より低くしてある。
【００３８】
また、両側壁３，３は、前壁２から後壁４へ向かって、前壁２の高さ寸法と同じ高さ寸法で適宜距離（図３では、前壁２の内面から後壁４の内面までの距離）だけ延設した後、後壁４の高さ寸法と同じ高さ寸法になした段差部を経て、段差部と同じ高さ寸法で後壁４の外面位置まで延設してある。このように両側壁３，３に前壁２の高さ寸法と同じ高さ寸法の部分を設けておくことによって、複数の給水用ブロックを縦に重積させることができ、狭いスペースに複数の給水用ブロックをストックすることができる。一方、両側壁３，３の前壁２の高さ寸法と同じ高さ寸法の部分以外の部分は、後壁４の高さ寸法と同じ高さ寸法にしてあるため、ブロック本体１の製造に要する原料の総量を可及的に少なくすることができ、これによって製造コストを低減することができる。
【００３９】
一方、ブロック本体１内の幅方向の略中央には、後壁４の高さと略同じ高さの中壁５が、側壁３，３と平行に、ブロック本体１の内部を２つの領域に仕切る態様で立設してある。
【００４０】
ところで、前述した前壁２には、該前壁２の内外面を貫通し、ブロック本体１内に貯留された水を外へ供給するための複数（図２では４つ）の給水用孔１３，１３，…が、前壁２の幅方向へ適宜の距離を隔てて開設してあり、各給水用孔１３，１３，…によって給水路１０，１０，…が構成されている。給水路１０の前壁２外面に開口した吐水口１１は、前壁２の上端近傍に位置しており、給水路１０の前壁２内面に開口した取水口１２は、底壁６の内面（底面）と略同じ高さに位置している。即ち、吐水口１１の高さ位置は、取水口１２の高さ位置より高い。
【００４１】
また、給水路１０は、その側断面形状が、吐水口１１の高さ部分に対応する一辺と取水口１２の高さ部分に対応する他辺とを有する四角形状をなし、吐水口１１の高さ寸法は取水口１２の高さ寸法より大きくしてある。つまり、前記四角形の上辺の立上がり角度α２は下辺の立上がり角度α１より大きくしてある。これによって、給水用ブロックの鋳造時、給水用孔１３の型抜きを容易に行うことができる。
【００４２】
一方、このように、給水路１０は、その内径が前壁２の外面側上部から内面側下部へ向かって漸次小さくなる略メガホン形をなしており、施工作業中、土砂といった毛管上昇を生起する媒体が自然落下により給水路１０内に充填される。従って、給水用ブロックの施工作業を更に容易に行うことができる。
なお、給水路１０は、前述した側断面の下辺の立上がり角度α１が略３０度以上が好ましい。これによって、前述した媒体の自然落下が担保される。一方、図４に示した如く、給水路１０の吐水口１１は、その一部が前壁２の上面にかかってもよい。
【００４３】
なお、本実施例では、前述した如く、給水路１０の側断面形状が四角形状をなし、この四角形の上下両辺は直線状にしてあるが、本発明はこれに限らず、彎曲状にしてもよい。
【００４４】
ブロック本体１の内部には、各給水用孔１３，１３，…からブロック本体１の内部へ後述する客土が流入することを防止すべく、金属板状の止部材２１，２１，…がそれぞれ、取水口１２，１２，…に対向配置してあり、底壁６の取水口１２，１２，…から少し距離を隔てた位置には、止部材２１，２１，…を固定するための四角錐台形の凸部１５，１５，…がそれぞれ設けてある。そして、各凸部１５，１５，…と前壁２との間に形成された溝状の間隙に、止部材２１，２１，…をそれぞれ嵌合させて、止部材２１，２１，…の面内方向を固定してある。
【００４５】
なお、本実施例では、底壁６に設けた凸部１５によって、止部材２１を嵌合固定するようにしてあるが、本発明はこれに限らず、底壁６に、止部材２１を内嵌させる溝部を設けておき、該溝部に止部材２１を内嵌固定するようにしてもよいし、前壁２の取水口１２の周囲に、止部材２１を固定支持するフック部を設けておき、該フック部によって止部材２１を内嵌固定するようにしてもよい。これによって、止部材２１がブロック本体１内に固定されるため、後述する給水用ブロックの施工作業を容易に実施することができる。
【００４６】
ところで、止部材２１と前壁２の内面との間には封止処置を施していないため、止部材２１を前壁２の内面に当接した場合であっても、ブロック本体１内に貯留された水は、止部材２１と前壁２の内面との間隙から給水路１０内へ容易に浸入する。
【００４７】
一方、本実施例では、止部材２１を無垢の板状にしてあるが、本発明はこれに限らず、止部材２１の前述した取水口１２に対向する部分に、１又は複数の貫通孔を開設しておいてもよい。これによって、給水路１０内へ浸入する水の量を増大させることができる。なお、かかる貫通孔の直径が比較的大きい場合、シート状の止部材を貫通孔に対向配置してもよい。これによって、給水路１０内の客土が前記貫通孔を通過して給水路１０からブロック本体１内へ流出することが防止される。
【００４８】
なお、本実施例では、給水路１０の取水口１２に対向して止部材２１を配置してあるが、本発明はこれに限らず、止部材２１に代えて、適宜寸法の複数の小石で取水口１２を塞ぐようにしてもよい。これによって、ブロック本体１内への客土の流入を防止すると共に、各小石の間隙によって、ブロック本体１内の水を給水路１０内へ通流させることができる。
【００４９】
ところで、前述した後壁４の高さは、前壁２に設けた給水路１０の吐水口１１の底部の高さと略同じにしてある。仮に、後壁４の高さを吐水口１１の底部の高さより高くした場合、ブロック本体１内の吐水口１１の底部より高い部分に一時的に溜まった水は、この部分の水圧により短時間で、吐水口１１の底部の高さになるまで、給水路１０から外へ排出される。従って、後壁４の高さを吐水口１１の底部の高さより高くしても、給水用ブロックの実質的な貯水量は増大しない。一方、本実施例の如く、後壁４の高さを、吐水口１１の底部の高さと略同じにした場合、ブロック本体１を製造するに要する原料を低減することができ、製造コストが低い。
【００５０】
図５は、本発明に係る給水用ブロックの使用状態の一例を示す側断面図であり、図中、７１は擁壁用ブロックである。図５に示した如く、底壁６の前壁２近傍の位置に、擁壁用ブロック７１内に充填される客土Ｇを受ける帯板状の客土受壁７を、底壁６の略全幅に渡って配設してある。
【００５１】
法面に倣って配置した擁壁用ブロック７１内に、適宜の大きさ（例えば、直径が略２０ｍｍ〜４０ｍｍ）の砕石等の中込材Ｆを、擁壁用ブロック７１の前壁７２側は薄く、後壁７４側は厚く敷き詰めた後、給水用ブロックのブロック本体１を、擁壁用ブロック７１の後壁７４側の中込材Ｆ上に載置するように配置し、擁壁用ブロック７１内の給水用ブロックより後壁７４側に中込材Ｆを、擁壁用ブロック７１の前壁７２の高さ位置まで投入すると共に、給水用ブロックのブロック本体１内に、擁壁用ブロック７１内に投入した中込材Ｆと同じサイズの中込材Ｆを、擁壁用ブロック７１の前壁７２の高さ位置まで投入する。
【００５２】
なお、給水用ブロックに投入する中込材Ｆのサイズは、擁壁用ブロック７１に投入した中込材Ｆのサイズより大きくしてもよい。この場合、中込材Ｆ内の間隙が大きいため、給水用ブロック内の貯水量が多い。一方、給水用ブロックのブロック本体１に投入する中込材Ｆのサイズと、擁壁用ブロック７１に投入した中込材Ｆのサイズとを同じにした場合、施工作業中、中込材Ｆの種類を変更することなく作業を行うことができ、作業効率が高い。
【００５３】
このように施工した下段の擁壁用ブロック７１上に上段の擁壁用ブロック７１を、上段の擁壁用ブロック７１の底壁７６が下段の給水用ブロックのブロック本体１の前壁２によって支持されるように載置した後、前同様の作業を行って、上段の擁壁用ブロック７１及び上段の給水用ブロックを施工する。そして、このような作業を繰り返した後、各擁壁用ブロック７１，７１，…内の給水用ブロックのブロック本体１，１，…より前壁７２，７２，…側に、それぞれ客土Ｇ，Ｇ，…を投入することによって、複数段の擁壁用ブロック７１，７１，…内にそれぞれ給水用ブロックを埋設した擁壁を施工する。
【００５４】
このとき、擁壁用ブロック７１内へ投入した客土Ｇは自然落下により、給水用ブロックの給水路１０内へ進入し、そこに充填される。給水路１０に充填された客土Ｇ中には、適宜の間隙が形成されており、この間隙によって毛管上昇が生起される。従って、給水路１０に、毛管上昇を生起する他の部材を挿入することなく、ブロック本体１内に貯留された水を毛管上昇によって給水路１０から外へ供給することができる。また、擁壁用ブロック７１内へ投入した客土Ｇが自然落下により給水路１０に充填されるため、給水用ブロックの施工作業が容易である。
【００５５】
このような擁壁では、各擁壁用ブロック７１，７１，…内の客土Ｇ，Ｇ，…に植物Ｐ，Ｐ，…をそれぞれ移植することができる。一方、上段の擁壁用ブロック７１，７１，…内の客土Ｇ，Ｇ，…への降雨は、当該客土Ｇ，Ｇ，…内へ浸透して、それぞれ下段の擁壁用ブロック７１，７１，…内に埋設した給水用ブロックのブロック本体１，１，…内に貯留される。そして、給水用ブロック内に貯留された雨水は、給水路１０，１０…内に充填された客土Ｇ，１０，…の毛細上昇により汲み上げられて、擁壁用ブロック７１，７１，…の客土Ｇ，Ｇ，…へ浸透し、該客土Ｇ，Ｇ，…を介して植物Ｐ，Ｐ，…に供給される。
【実施例２】
【００５６】
図６は、実施例２に係る給水用ブロックの側断面図であり、図３に示した平板状の止部材２１に代えて、Ｌ字状の止部材２２を用いた場合について示してある。なお、図中、図３に対応する部分には同じ番号を付してその説明を省略する。
【００５７】
ブロック本体１の前壁２内面は、底壁６に対して略直角にしてあり、底壁６の前記取水口１２（１２，…）に連なる部分には、それぞれ矩形の凹部１６（１６，…）が設けてある。そして、金属板をＬ字状に屈曲させてなる止部材２２（２２，…）がそれぞれ、止部材２２（２２，…）の縦部分を取水口１２（１２，…）に対向させ、取水口１２（１２，…）に臨む周囲部分を前壁２の内面に当接させる態様で配置してあり、止部材２２（２２，…）の底部分を底壁６に設けた前記凹部１６（１６，…）にそれぞれ嵌合させて、止部材２２（２２，…）を凹部１６（１６，…）に固定してある。
【００５８】
これによって、給水路１０（１０，…）からブロック本体１内へ土砂等が流入することを防止することができる一方、止部材２２がブロック本体１内に固定されるため、給水用ブロックの施工作業を容易に実施することができる。
【実施例３】
【００５９】
図７は、実施例３に係る給水用容器の使用態様を示す斜視図であり、図中、６０は、奥行き方向の寸法より幅方向の寸法の方が長い横長箱状のプランタ、３０は、プランタ６０内に装入される給水用容器である。合成樹脂製の給水用容器３０の容器本体３１は、プランタ６０と同様の横長箱状をなし、その高さ方向の寸法及び幅方向の寸法はプランタ６０の高さ方向の寸法及び幅方向の寸法とそれぞれ略同じにしてあり、その奥行き方向の寸法はプランタ６０の奥行き方向の寸法の１〜３割程度にしてある。なお、容器本体３１は前述した各寸法に限られず、プランタ６０内に装入し得る寸法であればよい。
【００６０】
容器本体３１の前壁３２の上端近傍の位置には、複数（図７では２つ）の給水路４０，４０を構成し、前壁３２を貫通する第１貫通孔４１，４１が、前壁３２の幅方向へ適宜の距離を隔てて開設してあり、前壁３２の外面には給水路４０，４０の吐水口４３，４３がそれぞれ開設してある。容器本体３１の前壁３２の内面側であって、第１貫通孔４１，４１に対応する部分には、底壁３６から前壁３２の略上面高さの位置に渡る四角柱状の凸部３８，３８が設けてある。両凸部３８，３８の後壁３４に対向する面にはそれぞれ、給水路４０，４０の取水口４４，４４が、容器本体３１の底面と略同じ高さになるように開設してあり、両凸部３８，３８には、取水口４４，４４と対応する第１貫通孔４１，４１とを連通させる第２貫通孔４２，４２が開設してある。そして、両取水口４４，４４は、止部材４５，４５にて塞止してある。なお、この止部材４５には、板材以外に、メッシュ材又は多孔質材等のマットを用いることができる。
【００６１】
このような、給水用容器３０にあっては、容器本体３１をプランタ６０内に、容器本体３１の後壁３４がプランタ６０の長辺側の周壁内面に対向するように装入した後、プランタ６０内に客土を投入する。このとき、プランタ６０内に投入された客土の一部が、給水用容器３０の吐水口４３，４３から給水路４０，４０内に充填される。そして、容器本体３１内に水を、吐水口４３，４３のほぼ底部位置まで注入する。これによって、容器本体３１内に貯留された水は、給水路４０，４０内に充填された媒体たる客土の毛管上昇によって取水口４４，４４から吐水口４３，４３へ汲み上げられ、吐水口４３，４３からプランタ６０内の客土へ供給される。この場合、プランタ６０内の底部に必要以上の水が溜まることを防止すべく、プランタ６０の底部に、排水用の孔を開設しておく方が好ましい。
【００６２】
このように、給水路４０，４０は凸部３８，３８を貫通する態様で設けてあるため、前壁３２の厚さが薄い容器本体３１であっても、給水路４０，４０内に客土等の媒体を十分に充填することができ、所要の毛管上昇作用を保持することができる。一方、プランタ６０内の客土には、給水用容器３０から水が徐々に供給されるため、プランタ６０内の客土に、毎日、水を与えなくても、客土内の植物は順調に生育する。
【実施例４】
【００６３】
図８は、実施例４に係る給水用容器を示す側断面図であり、図７に示した凸部３８に代えて、給水用管部５２が設けてある。なお、図中、図７に示した部分に対応する部分には同じ番号を付してその説明を省略する。
【００６４】
図８に示した如く、容器本体３１の前壁３２の上端近傍には、吐水口５３（５３）に連通し、前壁３２を貫通する貫通孔５１（５１）が開設してあり、前壁３２内面の貫通孔５１（５１）の周囲から容器本体３１の底面へ適宜の傾斜で、容器本体３１内に貯留された水を容器本体３１外へ供給するための給水用管部５２（５２）が延設してある。そして、給水用管部５２（５２）の下端に取水口５４（５４）が、容器本体３１の底面と略同じ位置になるように設けてある。これら給水用管部５２（５２）及び貫通孔５１，５１によって、給水路５５（５５）が構成されている。
【００６５】
このような給水用容器にあっては、給水路５５が給水用管部５２によって構成されているため、前壁３２の厚さが薄い容器本体３１であっても、前同様、給水路５５，５５内に客土等の媒体を十分に充填することができ、所要の毛管上昇作用を保持することができる。一方、給水用管部５２の容積は、図７示した凸部３８の容量より少ないため、図７に示した容器本体３１と同じ内寸の容器本体３１を用いた場合、内部に貯留することができる水の容量が多い。
【００６６】
なお、本実施例では、止部材４５によって、給水用管部５２から容器本体３１の内部に、客土が流入することを防止してあるが、本発明はこれに限らず、図９に示した如く、給水用管部５２の取水口５４を塞ぎ、この塞止部５６の適宜位置を貫通する１又は複数（図９では２つ）の細い取水孔５７，５７を開設しておいてもよい。この塞止部５６によって、止部材４５を用いることなく、給水用管部５２から容器本体３１の内部に、客土が流入することを防止することができる。
【００６７】
ところで、取水孔５７，５７の直径が比較的大きい場合は、更に止部材４５を併用して、容器本体３１の内部に、客土が流入することを防止する。
【図面の簡単な説明】
【００６８】
【図１】本発明に係る給水用容器たる給水用ブロックの正面図である。
【図２】本発明に係る給水用容器たる給水用ブロックの平面図である。
【図３】本発明に係る給水用容器たる給水用ブロックのＩＩＩ−ＩＩＩ線による断面図である。
【図４】給水路の他の例を示す側断面図である。
【図５】本発明に係る給水用ブロックの使用状態を示す側断面図である。
【図６】実施例２に係る給水ブロックの側断面図である。
【図７】実施例３に係る給水用容器の使用状態を斜視図である。
【図８】実施例４に係る給水用容器を示す側断面図である。
【図９】他の給水用管部を示す側断面図である。
【図１０】本発明者が開示した従来の給水用ブロックの使用態様を示す側断面図である。
【符号の説明】
【００６９】
１    ブロック本体
２    前壁
３    側壁
４    後壁
５    中央壁
６    底壁
７    客土受壁
１０    給水路
１１    吐水口
１２    取水口
１３    給水用孔
１５    凸部
１６    凹部
２１    止部材
２２    止部材
α１    下辺の立上がり角度
α２    上辺の立上がり角度
Ｆ    中込材
Ｇ    客土
Ｐ    植物
【図１】
2005090071.tif 000003
【図２】
2005090071.tif 000004
【図３】
2005090071.tif 000005
【図４】
2005090071.tif 000006
【図５】
2005090071.tif 000007
【図６】
2005090071.tif 000008
【図７】
2005090071.tif 000009
【図８】
2005090071.tif 000010
【図９】
2005090071.tif 000011
【図１０】
2005090071.tif 000012